(57)【特許請求の範囲】
【請求項１】
被施療者が着座する座部と、被施療者の脚部を保持するオットマンと、座部の前方にて上下に回動自在に支持される連結支持部と、連結支持部に対してオットマンを所定のスライド方向に進退自在に連結させるスライド機構と、任意のスライド量でオットマンを連結支持部に固定させるスライド固定機構とを具備する椅子式マッサージ機であって、上記スライド固定機構を、オットマン側に固定されていてスライド方向に沿って複数の係止溝を列設する固定部材と、連結支持部側に回動自在に設置されていて上記固定部材の任意の係止溝内に嵌入自在なストッパと、ストッパを上記嵌入方向に付勢する付勢ばねとで形成し、上記固定部材の係止溝の内側面であってストッパの係止片が側方から嵌入された状態において該係止片の座部と反対側の面が当たる部分には、係止溝の側方開口に近づくほど係止片との距離が広がるように傾斜した傾斜面を形成し、この傾斜面によって、座部側に接近するスライド方向に向けてオットマンにかかる荷重を係止溝内からストッパを押出す力に変換させることを特徴とする椅子式マッサージ機。
【発明の詳細な説明】
【技術分野】
【０００１】
本発明は、オットマンを備えた椅子式マッサージ機に関するものである。
【背景技術】
【０００２】
従来から、被施療者が着座する座部と、着座状態にある被施療者の脚部を保持するオットマンとを具備して成る椅子式マッサージ機が知られている（特許文献１参照）。これら椅子式マッサージ機のオットマンは、該オットマンに形成してある凹溝内に被施療者の脚部を嵌め込み、この脚部に対してエアバッグ等の施療手段を用いてマッサージを施す構造になっている。しかし、上記オットマンを有する椅子式マッサージ機においては、被施療者の体型が様々であることからオットマンの施療手段を所望の施療部位に当てることができない場合があるという問題があった。
【０００３】
そこで、本発明者らは本発明に至る過程で、座部の前方にて上下に回動自在に支持される連結支持部と、連結支持部に対してオットマンを被施療者の足先方向に沿う所定のスライド方向に進退自在に連結させるスライド機構と、任意のスライド量でオットマンを連結支持部に固定させるスライド固定機構とを具備する椅子式マッサージ機を考えた。上記スライド固定機構は、多数の係止孔を穿設してある固定部材をオットマン側に固定するとともに、連結支持部側には突没自在な可動ピンを設置し、この可動ピンを固定部材の係止孔の一つに嵌入させる構造である。
【０００４】
上記構成によれば、被施療者の体型に応じてオットマンと座部との距離を自在に設定し、且つオットマンをその設定距離で確実に固定することができる。ところが、上記のような突没自在な可動ピンを用いたスライド固定機構にあっては、特にオットマンに荷重をかけた状態では固定部材の係止孔から可動ピンを円滑に出し入れしてスライド調整を行うことが困難な場合があるという問題があった。
【特許文献１】特開２００２−２３８９６３号公報
【発明の開示】
【発明が解決しようとする課題】
【０００５】
本発明は上記問題点に鑑みて発明したものであって、オットマンを任意のスライド量で固定可能であり、且つこのオットマンのスライド調整を円滑且つ確実に行うことができる椅子式マッサージ機を提供することを課題とするものである。
【課題を解決するための手段】
【０００６】
上記課題を解決するために本発明に係る椅子式マッサージ機を、被施療者が着座する座部２と、被施療者の脚部を保持するオットマン６と、座部２の前方にて上下に回動自在に支持される連結支持部１９と、連結支持部１９に対してオットマン６を所定のスライド方向に進退自在に連結させるスライド機構２７と、任意のスライド量でオットマン６を連結支持部１９に固定させるスライド固定機構３０とを具備する椅子式マッサージ機であって、上記スライド固定機構３０を、オットマン６側に固定されていてスライド方向に沿って複数の係止溝１６を列設する固定部材１７と、連結支持部１９側に回動自在に設置されていて上記固定部材１７の任意の係止溝１６内に嵌入自在なストッパ２９と、ストッパ２９を上記嵌入方向に付勢する付勢ばね４１とで形成したものとする。
【０００７】
上記構成の椅子式マッサージ機とすることで、座部２に着座状態にある被施療者が脚部をオットマン６に保持させながらマッサージを施すことができることに加えて、連結支持部１９の回動によりオットマン６の姿勢を変更させることや、スライド機構２７を介してオットマン６をスライドさせて座部２からの距離を変更させ、スライド固定機構３０によってそのスライド量でオットマン６を固定することが可能である。そして、オットマン６のスライド量を変更する際には回転式のストッパ２９をその回転によって係止溝１６から出し入れすればよいので、オットマン６に荷重をかけた状態であってもスライド調整が円滑に行われるものである。
【０００８】
また、本発明の椅子式マッサージ機にあっては、上記固定部材１７の係止溝１６のストッパ２９と当る内側面に、スライド方向に向けてオットマン６にかかる荷重を該係止溝１６内からストッパ２９を押出す力に変換させる傾斜面４７を形成している。したがって、荷重が小さなうちはオットマン６をそのスライド量で固定するとともに、荷重が或る程度を超えた場合にのみ自動的にオットマン６のスライド固定を解除してスライド量を変更させることができる。
【０００９】
更に、本発明の椅子式マッサージ機にあっては、上記固定部材１７の係止溝１６の内側面であってストッパ２９の係止片４２が側方から嵌入された状態において該係止片４２の座部２と反対側の面４２ｂが当たる部分に、係止溝１６の側方開口に近づくほど係止片４２との距離が広がるように傾斜面４７を形成し、この傾斜面４７によって、座部２側に接近するスライド方向に向けてオットマン６にかかる荷重を該係止溝１６内からストッパ２９を押出す力に変換させる。したがって、オットマン６の下端を床面に接地させた状態で該オットマン６の先端部分に被施療者が体重をかけた場合には、オットマン６には座部２側に接近するスライド方向に向けて荷重が働くこととなって、ストッパ２９が係止溝１６内から押出されて係止を解除した後に、オットマン６が座部２に１段階接近した個所の係止溝１６内に嵌入されることとなる。即ち、オットマン６は座部２に近付く側に向けて自動的にスライド量を変更するので、床面との接地点を中心としてマッサージ機全体が持ち上がって動くという危険が防止されるものである。
【発明の効果】
【００１０】
本発明の椅子式マッサージ機は、オットマンを任意のスライド量で固定可能であり、且つこのオットマンのスライド調整を円滑且つ確実に行うことができるという効果を奏する。
【発明を実施するための最良の形態】
【００１１】
以下、本発明を添付図面に示す実施形態に基いて説明する。図４には、本発明の実施形態における一例の椅子式マッサージ機全体を示している。本例の椅子式マッサージ機は、被施療者が着座するための座部２と、座部２に着座状態にある被施療者が背中を凭れ掛けるために座部２の後方に起倒自在に設けた背凭れ部３と、座部２に着座状態にある被施療者が腕を置くために座部２の左右両側に設けた肘置き部４と、上記各部２〜４を支持する支持脚部５とで主体を成すマッサージ機本体１に、座部２に着座状態にある被施療者が脚部の膝下部分（即ち脹脛部分から足裏部分まで）を保持させるためのオットマン６を姿勢変更自在及びスライド量変更自在に連結させたものである。なお、本文中に用いる上下、左右、前後等の各方向は、座部２に着座状態にある被施療者側から見た方向を基準とする。
【００１２】
上記オットマン６には、被施療者の脚部の膝下部分全体が嵌まり込む左右一対の凹溝９を形成しており、脚部の足先方向に伸びる凹溝９の基端側及び正面側を開放させて被施療者の脚部を該開放部分から出入自在に設けている。ここで、凹溝９の先端側に形成される部分が、被施療者の足裏及び足先、足首部分が嵌まり込む足裏保持部８の溝部分であり、足裏保持部８の該溝部分の内壁に配してあるエアバッグ等の施療手段（図示せず）を駆動することで足裏や足先、足首部分に対してマッサージを施すようになっている。そして、凹溝９における上記足裏保持部８の溝部分よりも基端側の部分が、被施療者の脹脛部分が嵌まり込む脹脛保持部７の溝部分であり、脹脛保持部７の溝部分内壁に配してあるエアバッグ等の施療手段（図示せず）を駆動することで脹脛部分に対してマッサージを施すようになっている。なお、本例にあっては上記のようにオットマン６として脹脛保持部７と足裏保持部８とが一体のものを用いているが、脹脛保持部７と足裏保持部８が別体に形成された構造であっても構わない。
【００１３】
上記オットマン６は図５に示すように、連結支持部１９を介することでマッサージ機本体１に回動自在且つスライド自在に連結される構造になっている。この連結支持部１９は、座部２の前方位置においてマッサージ機本体１に上下方向に回動自在に支持されるとともに（図中の矢印Ｃ参照）、オットマン６を足先方向に沿う所定のスライド方向に進退自在に連結させるものである。上記スライド方向はオットマン６が座部２側から離れる或いは接近する方向であるから、以下においては座部２側から離れるスライド方向を特にスライド方向Ａとし、座部２側に接近するスライド方向を特にスライド方向Ｂとする。
【００１４】
図１には、オットマン６とこれの背面側に連結される連結支持部１９とを、連結支持部１９側から見た状態を示している。上記連結支持部１９は、図示の如く左右方向に伸びるパイプ２０と、パイプ２０の左右両端に固定されるとともに支持軸受２１を有する一対の支持板２２と、パイプ２０の左右両側からスライド方向に伸びるように延設される一対のサイドパイプ２３と、左右両側のサイドパイプ２３間に架け渡すように固定される一対の連結板２４とで主体を成すものである。
【００１５】
また、図１に示すように上記オットマン６は、底部の外形部分を保持するベースパイプ１０と、ベースパイプ１０から立設されて各凹溝９の側壁部分を保持する補強パイプ１１と、補強パイプ１１と連結されて各凹溝９先端の足裏が当る部分を保持する足裏保持部材１３とで全体の枠組を形成し、この枠組上にカバー１４を被嵌させることで主体を成している。オットマン６の左右方向の中央部分には、脚部の足先方向に伸びるスライド部材１５を固定している。上記スライド部材１５は、連結支持部１９の連結板２４に固定されるスライド支持部材２６（図３参照）とスライド自在に嵌合することでスライド機構２７を形成するものである。
【００１６】
更に、オットマン６のベースパイプ１０の左右両端部には、断面コ字状を成す一対の傾倒防止部材１８を互いの開口側が向い合うように固定しており、この傾倒防止部材１８が連結支持部１９のサイドパイプ２３を囲んで位置することで、オットマン６が連結支持部１９に対して左右方向に傾倒することを防止している。また、連結支持部１９とオットマン６との間には、座部２側に接近するスライド方向Ｂに向けてオットマン６を付勢するための付勢手段として、左右一対のコイル状の引張ばね３３を介在させている。
【００１７】
上記連結支持部１９は、その基端側のパイプ２０の左右両端に設けてある支持板２２の支持軸受２１を、マッサージ機本体１の座部２の前方位置に設けてある左右方向に伸びる支持軸３５を回動自在に嵌合させることで、先端側を下げて座部２の座面と略直行するような垂直姿勢と、先端側を持ち上げて座部２の座面と略平行になるような水平姿勢との間で、上記支持軸３５を中心として上下方向に回動自在に連結されるものである。連結支持部１９の姿勢を制御するための機構は特に図示していないが、モータやエアで駆動されるリンク等の伸縮自在な支持手段を用いることが好適である。
【００１８】
そして、本例のオットマン６には、上記スライド部材１５と平行に即ちスライド方向に伸び、且つ多数の係止溝１６をスライド方向に沿って一側面側に列設して成るラック状の固定部材１７を固定しており、連結支持部１９に回動自在に設置されるストッパ２９を任意の係止溝１６に嵌合自在に設けることでスライド固定機構３０の主体を形成している（図２参照）。上記係止溝１６は、図２（ｂ）に示すように側方開口１６ａ側が溝底１６ｂ側よりも幅広となるものである。
【００１９】
上記ストッパ２９は、一対の連結板２４のうち先端側の連結板２４の正面側に、軸４０中心に回動自在に設置してあり、軸４０を挟む一端側に付勢ばね４１を接続させるとともに、軸４０を挟む他端側には平板状の係止片４２（図中の斜線部分）と引張り片４３を突設している。上記係止片４２は、固定部材１７の係止溝１６内に側方から嵌入される部分であり、引張りばねである付勢ばね４１の付勢力が、ストッパ２９を上記嵌入方向（図中のイ方向）に付勢するように設けている。上記係止片４２と隣接して位置する引張り片４３には、ストッパ２９を上記嵌入方向と逆方向（図中ロ方向）に引張るワイヤ４４を接続させるとともに、マッサージ機本体１の座部２と肘置き部４との間に配してある調整レバー４５の後方への引張り操作によってこのワイヤ４４が引張られるように設けている。
【００２０】
また、上記固定部材１７の各係止溝１６の内側面であって嵌入状態における係止片４２の座部２側を向く平板面４２ａと当る部分には、この平板面４２ａと平行な係止面４６を形成するとともに、各係止溝１６の内側面であって嵌入状態における係止片４２の座部２と反対側を向く平板面４２ｂと当る部分には、この平板面４２ｂに対して角度θだけ傾斜する傾斜面４７を形成している。上記傾斜面４７は、側方開口１６ａ側に近付く程に係止片４２との距離を広げるように傾斜しているので、座部２側に接近するスライド方向Ｂに向けてオットマン６に荷重をかければ、この荷重が、オットマン６側に固定される固定部材１７の傾斜面４７を介して係止溝１６内から係止片４２を側方に押出す力に変換され、したがってストッパ２９が図中ロ方向に回動して固定部材１７との係止状態を自動的に解除するものである。解除後のストッパ２９は、固定部材１７の足先側に一つずれた箇所の係止溝１６内にばね付勢されて嵌入されることとなる。
【００２１】
なお本例にあっては、係止溝１６内面の傾斜面４７との対向側には上記の係止面４６を形成してあって、オットマン６に対して座部２側から離れるスライド方向Ａに向けて荷重がかかる場合にはストッパ２９の係止が自動的に解除されることがなく、且つ座部２に近付くスライド方向Ｂに荷重がかかる場合にだけストッパ２９の係止が解除される所謂ラチェット機構のような構造に設けているが、係止溝１６内面の傾斜面４７との対向側にも該傾斜面４７と同様の（即ち、側方開口１６ａ側に近付く程に係止片４２との距離を広げるように傾斜する）傾斜面を形成することで、座部２側から離れるスライド方向Ａに荷重がかかる場合にもストッパ２９が自動的に係止溝１６内から押出されるように設けても構わない。
【００２２】
しかして、上記構成を具備する本例の椅子式マッサージ機において、マッサージ機本体１の座部２に着座した状態にある被施療者が自身の左右両脚部の膝下部分をオットマン６の左右一対の凹溝９内に夫々嵌め込み、オットマン６の先端側に形成される足裏保持部８の溝部分に足裏部分を当てるとともに、オットマン６の基端側に形成される脹脛保持部７の溝部分に脹脛部分を嵌合させた状態で、足裏保持部８の溝部分内壁に配してある施療手段を駆動させて足裏部分や足先、足首部分にマッサージを施すとともに、脹脛保持部７の溝部分内壁に配してある施療手段を駆動させて脹脛部分にマッサージを施すことができる。
【００２３】
オットマン６の姿勢を変更しようとする場合には、マッサージ機本体１の座部２前方の支持軸３５を中心に連結支持部１９を上下方向に回動させればよい。オットマン６の連結支持部１９を介した回動により、該オットマン６を垂直姿勢と水平姿勢との間の任意の姿勢に移動させることができる。
【００２４】
また、スライド固定機構３０により連結支持部１９に固定されるオットマン６のスライド位置を変更しようとする場合には、図２のように固定部材１７の係止溝１６の一つに嵌入させてあるストッパ２９の係止片４２を、調整レバー４５及びワイヤ４４を用いて引張って図中ロ方向に回動させ、係止片４２と係止溝１６との係合状態を解除させる。そして、スライド機構２７を介して連結支持部１９に対するオットマン６のスライド量を変更したうえで、調整レバー４５を戻してストッパ２９を付勢ばね４１の付勢力により図中イ方向に回動させて前回嵌入していた係止溝１６とは別の係止溝１６に嵌入させれば、この変更したスライド量においてオットマン６は連結支持部１９に再度固定されるものである。
【００２５】
スライド量の変更は以下のようにして行う。例えば被施療者が膝下の長い体型である等してオットマン６の先端側へのスライド量を増加させようとする場合には、被施療者はストッパ２９による係止を上記のように解除したうえで足裏保持部８を自身の足裏部分で先端側へと押し込むことで、引張ばね３３の引張力に抗してオットマン６を先端側へとスライドさせればよい。一方、例えば被施療者が膝下の短い体型である等してオットマン６の先端側へのスライド量を減少させようとする場合には、被施療者がストッパ２９を回動させて係止を解除させればオットマン６は引張ばね３３の引張力によって座部２に近付く側に自動的にスライドすることとなる。
【００２６】
そして、ストッパ２９の上記の係止解除は、該ストッパ２９が回転式であって側方開口１６ａが幅広である係止溝１６からの出し入れ動作が円滑に行われることから、例えばオットマン６に荷重をかけた状態であってもスライド調整を円滑に行うことができる。
【００２７】
ここで、例えばオットマン６を先端側に大きくスライドさせたうえでスライド固定機構３０によってオットマン６を固定し、この状態で連結支持部１９を介してオットマン６を下方に回動させたときには、図５に示すようにオットマン６の先端が床面に接地する場合がある。このとき、オットマン６の足裏保持部８先端に被施療者が自身の体重Ｗをかければ、接地点Ｐを中心としてマッサージ機本体１全体を前方に持ち上げる力が働くこととなる。このようにマッサージ機本体１が不用意に持ち上がって動くことは危険であり、問題であるが、この持ち上がり時にオットマン６には座部２側に接近するスライド方向Ｂに向けて大きな荷重が働くので、本例の椅子式マッサージ機にあってはこの荷重によって上述の如くストッパ２９の係止片４２が係止溝１６内から押出され、係止を解除した後に、固定部材１７における１段階縮んだ個所の係止溝１６内に嵌入されることとなる。即ち、座部２に接近するようにオットマン６のスライド量が自動的に変更されるので、マッサージ機本体１の持ち上がりが防止されるものである。
【図面の簡単な説明】
【００２８】
【図１】本発明の実施形態における一例の椅子式マッサージ機の、オットマン及び連結支持部を背面側から見た説明図である。
【図２】（ａ）、（ｂ）は同上のオットマンと連結支持部との間に形成されるスライド固定機構の説明図である。
【図３】同上のオットマンと連結支持部を下面側から見た説明図である。
【図４】同上の椅子式マッサージ機の全体斜視図である。
【図５】同上の椅子式マッサージ機のオットマンが床面に接地した状態の説明図である。
【符号の説明】
【００２９】
２  座部
６  オットマン
１６  係止溝
１７  固定部材
１９  連結支持部
２７  スライド機構
２９  ストッパ
３０  スライド固定機構
４１  付勢ばね
４７  傾斜面
【図１】
0004640005.tif 000002
【図２】
0004640005.tif 000003
【図３】
0004640005.tif 000004
【図４】
0004640005.tif 000005
【図５】
0004640005.tif 000006